(57)【要約】【課題】携帯電話だけで構内及び構外の両方よりフィールド機器の操作・監視を可能とした操作・監視システムを実現した。【解決手段】フィールドに敷設された情報ＬＡＮに接続され、無線ＩＰ携帯電話と通信する無線アクセスポイントを有することを特徴とする操作・監視システムである。【選択図】                    図１
2004220298.tif 000002
【特許請求の範囲】
【請求項１】
フィールドに敷設された情報ＬＡＮに接続され、無線ＩＰ携帯電話と通信する無線アクセスポイントを有することを特徴とする操作・監視システム。
【請求項２】
前記無線ＩＰ携帯電話は、インターネットに設けられた無線アクセスポイントと前記情報ＬＡＮにある無線アクセスポイントと通信することを特徴とする、請求項１記載の操作・監視システム。
【請求項３】
前記無線ＩＰ携帯電話は、前記フィールド機器が設置されるフィールド現場内では前記情報ＬＡＮに設けられた無線アクセスポイントと通信し、フィールド現場外では前記インターネットに設けられた無線アクセスポイントと通信することを特徴とする、請求項１又は２記載の操作・監視システム。
【請求項４】
前記無線ＩＰ携帯電話はウェブブラウザ機能を搭載し、このウェブブラウザ機能を用いて前記フィールド機器の操作と監視の少なくとも一方を行うことを特徴とする、請求項１乃至３のいずれかに記載の操作・監視システム。
【請求項５】
前記無線ＩＰ携帯電話は、音声データ通信を行うためのＩＰ電話機能を搭載したことを特徴とする、請求項１乃至４のいずれかに記載の操作・監視システム。
【発明の詳細な説明】
【０００１】
【発明の属する技術分野】
本発明は、プロセス制御システムで制御するフィールド機器を携帯端末で遠隔点から操作・監視する操作・監視システムに関する。
【０００２】
【従来の技術】
図２は、操作・監視システムの従来構成を示す機能ブロック図である。点線のブロックＡは、プロセス制御システムが稼動する構内（フィールド現場内）であり、このブロック外の領域Ｂは構外（フィールド現場外）である。
【０００３】
構内Ａにおいて、１は上位装置である操作・監視装置、２はこの操作・監視装置が接続される制御バス、３はこの制御バス２に接続されたフィールドコントロールステーションであり、Ｉ／Ｏバス４を介してフィールド機器５の制御を実行すると共に、前記制御バス２を介して操作・監視装置１と通信する。
【０００４】
６は構内Ａに敷設された情報ＬＡＮであり、操作・監視装置１が接続されている。情報ＬＡＮ６は、イーサネット（登録商標）で代表される汎用通信ネットワークで実現される。７は同じく構内Ａに敷設された構内ＰＨＳ（Ｐｅｒｓｏｎａｌ  Ｈａｎｄｙ−ｐｈｏｎｅ  Ｓｙｓｔｅｍ）網であり、８はこの構内ＰＨＳ網に設けられたＰＨＳ基地局である。
【０００５】
９は、ＰＨＳ−ＬＡＮ交換機であり、情報ＬＡＮ６と構内ＰＨＳ網７間に接続され、ＰＨＳデータとＬＡＮデータの交換インターフェイス機能を有する。１０はファイアウォールであり、後述のインターネットにインターフェイスする。
【０００６】
１１は構内Ａ及び構外Ｂを移動するフィールドマンであり、携帯端末を所持して遠隔点より操作・監視装置１にアクセスしてフィールド機器５の操作及び監視を行う。フィールドマン１１は携帯端末としてＰＤＡ（Ｐｅｒｓｏｎａｌ  Ｄｉｇｉｔａｌ  Ａｓｓｉｓｔａｎｔｓ）１２及び携帯電話１３を所持する。
【０００７】
構内Ａにおいて、フィールドマン１１はフィールド作業のためにＰＨＳカードを装着したＰＤＡ（ブラウザ搭載機種）１２を使用し、ＰＨＳ基地局８と通信する。構外Ｂにおいて、フィールドマン１１は公衆電話網を介してインターネットへのアクセスのために携帯電話（ブラウザ搭載機種）１３を使用する。
【０００８】
構外Ｂにおいて、１４は公衆電話網、１５は公衆電話網に設けられた携帯電話基地局である。１６は公衆電話網１４に接続されたインターネットである。１７はプロバイダより提供されるインターネットアクセスサービスをするアクセスサービス手段であり、インターネット１６と構内Ａにあるファイアウォール１０をインターフェイスする。
【０００９】
【特許文献１】
特開平１０−３０１６２１号公報
【００１０】
【発明が解決しようとする課題】
このような構成をとる従来の携帯端末による操作・監視システムでは、次のような問題がある。
（１）フィールドマンは、ＰＤＡ及び携帯電話という複数の端末を携帯しなければならない。
（２）フィールドマンは、複数端末の各々の操作を習得しなければならない。
（３）フィールドマンは、構内のフィールド作業のためにはＰＨＳ、構外からのフィールド作業のためにはインターネットへアクセスするための携帯電話、というように、作業場所に応じて端末を使い分けなければならない。
（４）構内ＰＨＳ網と情報ＬＡＮを接続するためにＰＨＳ−ＬＡＮ交換機が必要となる。
（５）ＰＨＳカードの使用権が構内ＰＨＳ網に限定されている場合であっても、ＰＨＳ通信業者と公衆電話回線契約を行わなければ、ＰＨＳカードを購入することは通常できない。
【００１１】
本発明の目的は、携帯電話だけで構内及び構外の両方よりフィールド機器の操作・監視を可能とした操作・監視システムを実現することにある。
【００１２】
【課題を解決するための手段】
このような目的を達成するための本発明の構成は次の通りである。
【００１３】
（１）フィールドに敷設された情報ＬＡＮに接続され、無線ＩＰ携帯電話と通信する無線アクセスポイントを有することを特徴とする操作・監視システム。
【００１４】
（２）前記無線ＩＰ携帯電話は、インターネットに設けられた無線アクセスポイントと前記情報ＬＡＮにある無線アクセスポイントと通信することを特徴とする、（１）記載の操作・監視システム。
【００１５】
（３）前記無線ＩＰ携帯電話は、前記フィールド機器が設置されるフィールド現場内では前記情報ＬＡＮに設けられた無線アクセスポイントと通信し、フィールド現場外では前記インターネットに設けられた無線アクセスポイントと通信することを特徴とする、（１）又は（２）記載の操作・監視システム。
【００１６】
（４）前記無線ＩＰ携帯電話はウェブブラウザ機能を搭載し、このウェブブラウザ機能を用いて前記フィールド機器の操作と監視の少なくとも一方を行うことを特徴とする、（１）乃至（３）のいずれかに記載の操作・監視システム。
【００１７】
（５）前記無線ＩＰ携帯電話は、音声データ通信を行うためのＩＰ電話機能を搭載したことを特徴とする、（１）乃至（４）のいずれかに記載の操作・監視システム。
【００１８】
【発明の実施の形態】
以下本発明実施態様を、図面を用いて説明する。図１は本発明を適用した操作・監視システムの一例を示す機能ブロック図であり、図２の従来システムで説明した要素と同一要素には同一符号を付して説明を省略する。
【００１９】
本発明の特徴は、第４世代携帯電話として規格化及び実用化が進められている高速（通信速度は１０ＭＢＰＳ、将来は１００ＭＢＰＳ）でオールＩＰ（Ｉｎｔｅｒｎｅｔ  Ｐｒｏｔｏｃｏｌ）化されたブラウザ搭載の無線ＩＰ携帯電話を携帯端末として用いる点にある。この無線ＩＰ携帯電話は、構内では情報ＬＡＮに設けた無線ＬＡＮアクセスポイントと通信し、構外ではインターネットに設けられた無線ＬＡＮアクセスポイントと通信する。
【００２０】
図１において、２０はウェブブラウザ機能を搭載した無線ＩＰ携帯電話であり、フィールドマン１１はこの無線ＩＰ携帯電話のみを携帯する。２１は構内Ａに敷設された情報ＬＡＮ６に設けた無線ＬＡＮアクセスポイントである。フィールドマン１１は、ブラウザ搭載の無線ＩＰ携帯電話２０よりこの無線ＬＡＮアクセスポイント２１経由して構内におけるフィールド作業を行う。
【００２１】
構外Ｂにおいて、２２はインターネット１６上に設けられた無線ＬＡＮアクセスポイントである。フィールドマン１１は、ブラウザ搭載無線ＩＰ携帯電話２０と通信する無線ＬＡＮアクセスポイント２２より、インターネットを経由し、更にプロバイダ提供のインターネットアクセスサービス１７、ファイアウォール１０、情報ＬＡＮ６を経由して構外からのフィールド作業を行う。
【００２２】
構内Ａにおける本発明のメリットは、無線ＩＰ携帯電話２０にＩＰ電話システムを搭載することにより、内線通話用のために構内ＰＨＳ網、ＰＨＳ−ＬＡＮ交換機が不要となり、情報ＬＡＮ６に汎用の無線ＬＡＮアクセスポイント２１を設ける極めてシンプルな構成となる点である。このことにより、内線通話用ＰＨＳシステムの導入／運用にともなう費用／エネルギーの削減が行える。
【００２３】
構外Ｂにおける操作・監視作業において、無線ＩＰ携帯電話２０と通信するインターネットに設けられる無線ＬＡＮアクセスポイント２２は、飲食店チェーンやホテル、駅等で近年サービスが拡大しているパソコンやＰＤＡ向けの無線ＬＡＮアクセスポイントを利用することができる。
【００２４】
本発明で使用する無線ＩＰ携帯電話と通信する無線ＬＡＮシステムは、ＴＣＰ／ＩＰプロトコルで標準化された規格のシステムのため、従来のように携帯電話業者間の差分を意識する必要がなく、汎用の機器により安価にシステムを構築することが可能である。
【００２５】
なお、無線ＩＰ携帯電話２０は、音声データ通信を行うためのＩＰ電話機能を搭載していてもよい。
【００２６】
【発明の効果】
以上説明したことから明らかなように、本発明によれば次のような効果を期待することができる。
（１）無線による操作・監視システムを汎用の機器により標準モデル化でき、このモデルの導入によりフィールドマンを以下のような負担から解放する。
・複数端末を携帯する負担。
・複数端末の操作を習得する負担。
・複数端末を用途別に使いわける負担。
（２）このモデルの導入により以下のような導入コストを削減できる。
・ＰＨＳ−ＬＡＮ交換機交換機。（不要なため）
・複数端末機。（端末が統一されるため）
（３）このモデルの導入により以下のような運用コストを削減できる。
・回線契約費。（契約回線は１つでよいため）
・消費電力費。（出力電波が弱いため）
（４）このモデルの導入により以下のように地球環境に貢献できる。
・省消費電力。（出力電波が弱いため）
・フィールドマン一人あたり廃棄端末５０％削減。（２台以上の端末を統一するため）
（５）パフォーマンスがよい（高速のデータ通信）ため、リアルタイムな操作・監視が可能。
【図面の簡単な説明】
【図１】本発明の一実施例を示す機能ブロック図である。
【図２】操作・監視システムの従来構成を示す機能ブロック図である。
【符号の説明】
５  フィールド機器
６  情報ＬＡＮ
１６  インターネット
２０  無線ＩＰ携帯電話
２１  無線ＬＡＮアクセスポイント
【図１】
2004220298.tif 000003
【図２】
2004220298.tif 000004